(57)【要約】【課題】グラウトを充填することなく、施工可能な柱梁仕口部の構築方法を提供する。【解決手段】上方のＰＣ柱部材２０を、その下面が梁の上面にあたる高さよりも低くなるように、下方のＰＣ柱部材４０の上方に建て込み、上方及び下方のＰＣ柱部材２０、４０の間の空間に柱梁仕口部を構成するコンクリートを打設する。柱梁仕口部を構成するコンクリートを打設する際には、少なくとも、柱梁仕口部における上部領域のコンクリートと、梁の柱梁仕口部に接続される端部における上部領域のコンクリートを一体に打設する。【選択図】図４
2009144398.tif 000002
【特許請求の範囲】
【請求項１】
柱及び梁が接合される柱梁仕口部の構築方法であって、
上方のＰＣ柱部材を、その下面が、少なくとも前記梁に支持され、前記柱に接続されるスラブ又は前記梁の何れか一方の上面よりも低くなるように、下方のＰＣ柱部材の上方に建て込む上方のＰＣ柱部材建て込み工程と、
前記上方及び下方のＰＣ柱部材の間の空間に前記柱梁仕口部を構成するコンクリートを打設する柱梁仕口部コンクリート打設工程と、を備え、
前記コンクリート打設工程では、少なくとも、前記柱梁仕口部における上部領域のコンクリートと、前記何れか一方のスラブ又は梁の前記柱梁仕口部に接続される端部における上部領域のコンクリートを一体に打設することを特徴とする柱梁仕口部の構築方法。
【請求項２】
請求項１記載の柱梁仕口部の構築方法であって、
前記コンクリート打設工程の前に、
少なくとも前記柱梁仕口部に接続される端部の上部を構成するコンクリートが構築されていないＰＣ梁部材を、前記柱梁仕口部にあたる部分の側部に建て込むＰＣ梁部材建て込み工程を備え、
前記コンクリート打設工程では、少なくとも前記柱梁仕口部における上部領域のコンクリートと、前記ＰＣ梁部材のコンクリートの構築されていない部分の少なくとも前記柱梁仕口部に接続される端部の上部に当たる部分のコンクリートとを一体に打設することを特徴とする柱梁仕口部の構築方法。
【請求項３】
請求項１記載の柱梁仕口部の構築方法であって、
前記コンクリート打設工程の前に、
前記梁を構成するＰＣ梁部材を前記柱梁仕口部にあたる部分の側部に建て込むＰＣ梁部材建て込み工程を備え、
前記コンクリート打設工程では、少なくとも前記柱梁仕口部における上部領域のコンクリートと、前記スラブの少なくとも前記柱梁仕口部に接続される端部の上部に当たる部分のコンクリートとを一体に打設することを特徴とする柱梁仕口部の構築方法。
【請求項４】
前記上方及び下方のＰＣ柱部材を構成するコンクリート及び前記コンクリート打設工程において打設される前記柱梁仕口部を構成するコンクリートには、圧縮強度が１２０Ｎ／ｍｍ２を超える高強度コンクリートが用いられていることを特徴とする請求項１から３何れかに記載の柱梁仕口部の構築方法。
【請求項５】
請求項１から４何れかに記載の柱梁仕口部の構築方法であって、
前記上方のＰＣ柱部材の下面には、傾斜が設けられていることを特徴とする柱梁仕口部の構築方法。
【請求項６】
請求項５記載の柱梁仕口部の構築方法であって、
前記傾斜は、前記上方のＰＣ柱部材の中央に向かって、前記下方のＰＣ柱部材に近づくような形状であることを特徴とする柱梁仕口部の構築方法。
【請求項７】
請求項１から６何れかに記載の柱梁仕口部の構築方法により柱梁仕口部が構築されたことを特徴とする鉄筋コンクリート造の柱梁架構。
【発明の詳細な説明】
【技術分野】
【０００１】
本発明は、ＰＣ柱部材を用いて柱梁架構の柱梁仕口部を構築する方法及びこの方法により柱梁仕口部が構築された鉄筋コンクリート造の柱梁架構に関する。
【背景技術】
【０００２】
従来より、施工期間短縮のため、ＰＣ部材を用いて鉄筋コンクリート造構造物を構築することが行われている。このようなＰＣ部材を用いて仕口部を構築する方法として、図１６に示すように、仕口部７３８及び梁部７３９を一体成形し、柱主筋を貫通させるための鉄筋貫通孔７３１が設けられたＰＣ梁・仕口部材７３０を、頭部に機械式継手７４２が設けられたＰＣ柱部材７４０の上部に建込み、さらに、下面に柱主筋７２１が突出したＰＣ柱部材７２０を、その柱主筋７２１がＰＣ梁・仕口部材７３０の貫通孔７３１を貫通し、ＰＣ柱部材７４０の機械式継手７４２内に挿入されるように建込み、貫通孔７３１及び機械式継手７４２内にグラウトを充填することにより、柱梁架構を構築する工法が知られている（例えば、特許文献１参照）。このようにＰＣ部材を用いて柱梁架構を構築する場合には、ＰＣ柱部材７２０、７４０とＰＣ梁・仕口部材７３０との間の目地７５０、７６０の処理を行う必要がある。通常、このような目地７５０、７６０の処理は、目地７５０、７６０内にグラウトを充填することにより行っていた。
【特許文献１】特許３８３７３９０号公報
【発明の開示】
【発明が解決しようとする課題】
【０００３】
ところで、近年、建築物の超高層化にともない、柱に非常に高い圧縮強度を有する超高強度コンクリートを用いた建築物が構築されている。ここで、このような建築物の構築に上記の特許文献１記載の方法を適用しようとすると、柱を構成するフルＰＣ柱部材間の目地に充填するグラウトにも同程度の圧縮強度が必要となる。しかしながら、超高強度コンクリートと同等な非常に高い圧縮強度を有するグラウトは存在せず、このような建物の柱梁架構をＰＣ部材を用いて構築することはできなかった。
【０００４】
また、柱を構成するＰＣ柱部材の間にコンクリートを打設することにより、これらＰＣ柱部材を接合する方法も考えられるが、この方法では、打設したコンクリートが収縮し、コンクリートの表面の高さが低下してしまうため、上方のＰＣ柱部材と打設したコンクリートとの間に目地ができてしまう。
【０００５】
本発明は、上記の問題に鑑みなされたものであり、グラウトを充填することなく、施工可能な柱梁仕口部の構築方法を提供することである。
【課題を解決するための手段】
【０００６】
本発明の柱梁仕口部の構築方法は、柱及び梁が接合される柱梁仕口部の構築方法であって、上方のＰＣ柱部材を、その下面が、少なくとも前記梁に支持され、前記柱に接続されるスラブ又は前記梁の何れか一方の上面よりも低くなるように、下方のＰＣ柱部材の上方に建て込む上方のＰＣ柱部材建て込み工程と、前記上方及び下方のＰＣ柱部材の間の空間に前記柱梁仕口部を構成するコンクリートを打設する柱梁仕口部コンクリート打設工程と、を備え、前記コンクリート打設工程では、少なくとも、前記柱梁仕口部における上部領域のコンクリートと、前記何れか一方のスラブ又は梁の前記柱梁仕口部に接続される端部における上部領域のコンクリートを一体に打設することを特徴とする。
【０００７】
上記の柱梁仕口部の構築方法において、前記コンクリート打設工程の前に、少なくとも前記柱梁仕口部に接続される端部の上部を構成するコンクリートが構築されていないＰＣ梁部材を、前記柱梁仕口部にあたる部分の側部に建て込むＰＣ梁部材建て込み工程を備え、  前記コンクリート打設工程では、少なくとも前記柱梁仕口部における上部領域のコンクリートと、前記ＰＣ梁部材のコンクリートの構築されていない部分の少なくとも前記柱梁仕口部に接続される端部の上部に当たる部分のコンクリートとを一体に打設してもよい。
【０００８】
上記の柱梁仕口部の構築方法において、前記コンクリート打設工程の前に、前記梁を構成するＰＣ梁部材を前記柱梁仕口部にあたる部分の側部に建て込むＰＣ梁部材建て込み工程を備え、前記コンクリート打設工程では、少なくとも前記柱梁仕口部における上部領域のコンクリートと、前記スラブの少なくとも前記柱梁仕口部に接続される端部の上部に当たる部分のコンクリートとを一体に打設してもよい。
【０００９】
また、前記上方及び下方のＰＣ柱部材を構成するコンクリート及び前記コンクリート打設工程において打設される前記柱梁仕口部を構成するコンクリートには、圧縮強度が１２０Ｎ／ｍｍ２を超える高強度コンクリートが用いられてもよい。
【００１０】
また、前記上方のＰＣ柱部材の下面には、傾斜が設けられていてもよい。前記傾斜は、前記上方のＰＣ柱部材の中央に向かって、前記下方のＰＣ柱部材に近づくような形状であってもよい。
また、本発明の柱梁架構は、上記の方法により柱梁仕口部が構築されたことを特徴とする。
【発明の効果】
【００１１】
本発明によれば、上方のＰＣ柱部材を、その下面が梁の上面よりも低い高さ位置になるように建て込み、柱梁仕口部の上部領域及び梁の前記柱梁仕口部に接続される端部における上部領域のコンクリートを打設するため、打設したコンクリートの上面が上方のＰＣ柱部材の下面より高くなる。これにより、打設したコンクリートが収縮し、コンクリート表面の高さが低下しても、打設したコンクリートと上方のＰＣ柱部材の間に隙間が生じることがないため、グラウトを充填することなく柱梁仕口部を構築することができる。
【発明を実施するための最良の形態】
【００１２】
以下、本発明の柱梁仕口部の構築方法の一実施形態を図面を参照しながら詳細に説明する。
図１〜図４は、本実施形態の柱梁仕口部の構築方法を説明するための図である。
本実施形態の柱梁仕口部の構築方法は、下階の柱を構成する下方のＰＣ柱部材４０の上方に上方のＰＣ柱部材２０を建て込み、また、梁の一部を構成するハーフＰＣ梁部材３０を建て込み、柱梁仕口部及びハーフＰＣ梁部材３０の上部にコンクリートを打設して柱梁仕口部を構築する。なお、以下の説明において、柱を構成するＰＣ部材は圧縮強度が１２０Ｎ／ｍｍ２を超える高強度コンクリートを用いて構築されており、また、現場において打設されるコンクリートにも圧縮強度が１２０Ｎ／ｍｍ２を超える高強度コンクリートが用いられている。
【００１３】
図１に示すように、下方のＰＣ柱部材４０は、部材内部に上下方向に延びるように埋設された複数の柱主筋４１と、柱主筋４１の上端に接続されるとともに上面に鉄筋挿入口が開口するように設けられたスリーブ式継手４２と、を備える。なお、下方のＰＣ柱部材４０は既に建て込みが完了しているものとする。
【００１４】
上方のＰＣ柱部材２０は、部材内部に上下方向に延びるように埋設され、端部が下面より突出するように設けられた柱主筋２１と、柱主筋２１の上端に接続され鉄筋挿入孔が部材上面に開口するように埋設されたスリーブ式継手２２と、を備える。また、上方のＰＣ柱部材２０の下面には中心に向かって進出するような傾斜が設けられている。なお、柱主筋２１の下面より突出する部分は、後述するように、上方のＰＣ柱部材２０を建て込んだ際に、下方のＰＣ柱部材４０のスリーブ式継手４２内に先端が到達する長さを有する。
【００１５】
ハーフＰＣ梁部材３０は、梁の下部を構成するプレキャストコンクリート３１と、プレキャストコンクリート３１内に埋設された下端の梁主筋３３と、プレキャストコンクリート３１内に下部が埋設されたせん断補強筋３４と、上端の梁主筋３２と、を備える。また、上端及び下端の梁主筋３３、３２の何れか一方の端部にはねじ式継手３５が取り付けられている。
【００１６】
柱梁仕口部を構築する際には、まず、図２に示すように、柱梁仕口部の両側よりハーフＰＣ梁部材３０を建て込む。そして、対向するハーフＰＣ梁部材３０の上端及び下端の梁主筋３３、３２を夫々ねじ式継手３５により継手する。
【００１７】
次に、図３に示すように、柱主筋２１が、下方のＰＣ柱部材のスリーブ式継手４２内に挿入されるとともに、上方のＰＣ柱部材２０の下面が梁の上面より低い高さ位置にくるように、上方のＰＣ柱部材を建て込む。そして、スリーブ式継手４２内にグラウトを充填する。なお、スリーブ式継手４２内にグラウトを充填するが、これは柱主筋２１、４１の接合に寄与するものであり、柱の圧縮強度に影響を及ぼすことはない。
【００１８】
次に、図４に示すように、梁の柱梁仕口部近傍の上方より、柱梁仕口部及び梁の上部を構成するコンクリート５０を梁の上面高さまで打設する。この際、上記のように上方のＰＣ柱部材２０の下面には中心に向かって下方に突出するような傾斜が設けられているため、上方のＰＣ柱部材２０の下方に空気が残存することを防ぎ、確実にコンクリートを充填することができる。
【００１９】
ここで、上記のように上方のＰＣ柱部材２０は下面が梁の上面よりも低い高さ位置にくるように建て込まれているため、コンクリート５０の上面は上方のＰＣ柱部材２０の下面よりも高い位置になる。これにより、打設したコンクリート５０が収縮し、コンクリート５０の上面の高さが低下しても、上方のＰＣ柱部材２０と打設したコンクリート５０の間に隙間が生じることを防止できる。
そして、打設したコンクリートが硬化することにより柱梁仕口部１００が構築され、また、上記の作業を繰り返すことにより柱梁架構を構築することができる。
【００２０】
本実施形態の柱梁仕口部の構築方法によれば、上方のＰＣ柱部材２０を下面が梁の上面よりも低い位置になるように建て込み、仕口部及び梁の上部を構成するコンクリートを梁上面高さまで打設するため、打設したコンクリート５０の上面が上方のＰＣ柱部材２０の下面よりも高い位置になる。このため、打設したコンクリート５０が収縮して上面の高さが低下しても、上方のＰＣ柱部材２０と打設したコンクリート５０の間に隙間が生じることを防止でき、グラウトの充填作業が不要となる。
【００２１】
また、上方のＰＣ柱部材２０の下面に中心に向かって進出するような傾斜を設けることにより、部材の下方に空気が残存することを防ぎ、部材の下部に確実にコンクリートを打設することができる。
【００２２】
なお、上記の実施形態では、梁をハーフＰＣ梁部材を用いて構築するものとしたが、これに限らず、図５に示すように、梁を構成するコンクリート１５０を全て現場打ちとすることも可能である。このような場合には、下方のＰＣ柱部材４０の上方の仕口部にあたる部分を貫通するように梁主筋１３２を、そして、梁主筋１３２の周囲を囲繞するようにせん断補強筋１３４を配筋し、下面が梁の上面よりも低くなるように上方のＰＣ柱部材２０を建て込み、柱主筋２１、４１を機械式継手４２により継手し、梁型枠を設置したのち、梁及び柱梁仕口部を構成するコンクリート１５０を打設すればよい。
【００２３】
また、梁をフルＰＣ梁部材を用いて構築することも可能である。このような場合には、図６に示すように、梁の柱梁仕口部側の端部を構成するコンクリートが構築されておらず、この部分において梁主筋２３２が露出するように製作されたフルＰＣ梁部材２３０を用いるとよい。このようなフルＰＣ梁部材２３０を柱梁仕口部にあたる部分に側方より建て込み、梁主筋２３２を継手し、下面が梁の上面よりも低くなるように上方のＰＣ柱部材２０を建て込み、柱主筋２１、４１を機械式継手４２により継手し、梁の上面の高さまで梁の柱梁仕口部側の端部及び仕口部を構成するコンクリート２５０を打設すればよい。また、図６に示す実施形態では、梁の柱梁仕口部側の端部の全断面に亘ってコンクリートが構築されていないフルＰＣ梁部材２３０を用いているが、これに限らず、少なくとも、フルＰＣ梁部材を構成するコンクリートの梁の柱梁仕口部側の端部の上部にあたる部分を構成するコンクリートが構築されていなければ、本発明の柱梁仕口部の構築方法に用いることができる。
【００２４】
また、本実施形態では、柱の柱脚部から柱頭部までを構成するコンクリートがプレキャストコンクリートにより構成されたＰＣ柱部材２０、４０を用いているが、これに限らず、図７に示すように、柱の柱脚部から中間部までを構成するコンクリートがプレキャストコンクリートにより構成されたＰＣ柱部材３２０、３４０を用いてもよい。このようなＰＣ柱部材３２０、３４０を用いる場合には、柱梁仕口部、梁の仕口部側の端部及び下階の中間部から柱頭部までを構成するコンクリート３５０を一括して打設すればよい。
【００２５】
また、図８に示すように、下階の柱を構成するＰＣ柱部材４０、梁の下部を構成するハーフＰＣ梁部材３０、及び仕口部の下部を構成するＰＣ仕口部材４８０が一体に構築されたＰＣ部材４６０、４７０を用いることもできる。このようなＰＣ部材４６０、４７０を用いる場合には、上階のＰＣ部材４７０を建て込み、柱主筋２１、４１を継手した後、仕口部の上部領域及び梁の上部領域にコンクリート４５０を打設することにより柱梁仕口部を構築することができる。
【００２６】
また、上記の各実施形態では、ＰＣ部材の部材上面に鉄筋挿入孔が開口するようにスリーブ式継手を設けるとともに部材下面より柱主筋を突出させておき、このスリーブ式継手により柱主筋を継手するものとしたが、これに限らず、図９に示すように、ＰＣ柱部材２０、４０の下面に鉄筋挿入孔が開口するようにスリーブ式継手２２を設けるとともに、部材上面より柱主筋２１、４１を突出させておき、このスリーブ式継手２２により柱主筋２１、４１を継手してもよい。また、図１０に示すように、ＰＣ柱部材２０、４０の部材上面及び下面より柱主筋２１、４１を突出させておき、ねじ式継手６２により柱主筋２１、４１を継手してもよく、要するに柱主筋の継手の方法は問わない。
【００２７】
また、本実施形態では、梁の上方の柱梁仕口部の近傍よりコンクリートを打設するものとしたが、これに限らず、図１１に示すようにＰＣ柱部材５２０に上面から下面に貫通する貫通孔５２３を設けておき、この貫通孔５２３を通してコンクリート５５０を打設してもよい。
【００２８】
また、上記の各実施形態では、柱梁仕口部を構成するコンクリート及び梁の現場打ちコンクリートを全て一体に打設するものとしたが、これに限らず、仕口部の少なくとも上部領域及び梁の仕口部側の端部の上部領域を構成するコンクリートを一体に打設していれば、柱梁仕口部を構成するコンクリート及び梁の現場打ちコンクリートを複数回に分けて打設してもよい。
【００２９】
また、上記の各実施形態では、上方のＰＣ柱部材の下面に中央に向かうほど下方のＰＣ柱部材に近づくような傾斜を設けることとしたが、これに限らず、例えば、上方のＰＣ柱部材の下面の一方の縁から反対側の縁に向かうほど下方のＰＣ柱部材に近づくような傾斜を設けても良く、要するにコンクリート打設の際に、空気が逃げやすくなるような傾斜であればよい。
【００３０】
また、上記の各実施形態では、柱梁仕口部の上部領域を構成するコンクリートと、柱梁仕口部に接続される梁の接合端部の上部領域を構成するコンクリートとを一体に打設するものとしたが、これに限らず、図１２に示すような、梁６０１に支持されるスラブ６０２が柱６００と接続される場合には、上記の柱梁仕口部の上部領域を構成するコンクリートと、このスラブ６０２の柱６００との接合端部の上部領域を構成するコンクリートとを一体に打設することとしてもよい。
【００３１】
このような場合には、まず、図１３に示すように、柱梁仕口部の側部にＰＣ梁部材６３０を建て込む。なお、ＰＣ梁部材６３０として上記の各実施形態で用いたような柱梁仕口部側の端部の上部領域を構成するコンクリートが打設されているものを用いる必要はなく、図１３に示すように、その端面が柱梁仕口部内まで到達するようなＰＣ梁部材６３０や、端面が柱の外周面と一致するようなＰＣ梁部材を用いることができる。そして、このようなＰＣ梁部材を建て込んだ後、機械式継手２３５により端面が対向するように建て込まれたＰＣ梁部材６３０の梁筋２３２を継手する。
【００３２】
次に、図１４に示すように、上方のＰＣ柱部材６２０をその下面がスラブ６０２の上面高さよりも低くなるように建て込み、柱筋２１、４１を継手する。
次に、図１５に示すように、柱梁仕口部を構成するコンクリート及びスラブ６０２を構成するコンクリート６５０を打設する。なお、この際、柱梁仕口部の上部領域を構成するコンクリート及びスラブ６０２の上部領域を構成するコンクリートが一体に打設されれば、必ずしも柱梁仕口部及びスラブ６０２を構成するコンクリートを一度に打設する必要はなく、複数回に分けて打設してもよい。
【００３３】
このようにスラブ６０２の柱６００との接合端部の上部領域を構成するコンクリートと柱梁仕口部の上部領域を構成するコンクリートを一体に打設することにより上記の各実施形態と同様に、打設したコンクリートと上方のＰＣ柱部材６２０、６４０の間に目地が生じることを防止することができる。
【図面の簡単な説明】
【００３４】
【図１】本実施形態の柱梁仕口部の構築方法を説明するための図（その１）である。
【図２】本実施形態の柱梁仕口部の構築方法を説明するための図（その２）である。
【図３】本実施形態の柱梁仕口部の構築方法を説明するための図（その３）である。
【図４】本実施形態の柱梁仕口部の構築方法を説明するための図（その４）である。
【図５】梁を構成するコンクリートを現場打ちとした柱梁仕口部を示す図である。
【図６】梁をフルＰＣ梁部材を用いて構築した柱梁仕口部を示す図である。
【図７】柱の柱脚部から中間部までを構成するコンクリートがプレキャストコンクリートにより構成されたＰＣ柱部材を用いた柱梁仕口部を示す図である。
【図８】下階の柱を構成するＰＣ柱部材、梁の下部を構成するハーフＰＣ梁部材、及び仕口部の下部を構成するＰＣ仕口部材が一体に構築されたＰＣ部材を用いた柱梁仕口部を示す図である。
【図９】ＰＣ柱部材の下面に鉄筋挿入孔が開口するようにスリーブ式継手を設けた場合の柱梁仕口部を示す図である。
【図１０】ＰＣ柱部材の部材上面及び下面より柱主筋を突出させておき、ねじ式継手６２により柱主筋を継手した場合の柱梁仕口部を示す図である。
【図１１】ＰＣ柱部材に上面から下面に貫通する貫通孔を設けておき、この貫通孔を通してコンクリートを打設する方法を説明するための図である。
【図１２】柱にスラブが接続されている様子を示す平面図である。
【図１３】柱梁仕口部の上部領域を構成するコンクリートとスラブの柱に接続される端部の上部領域を構成するコンクリートとを一体に打設することにより柱梁仕口部を構築する方法を説明するための図（その１）である。
【図１４】柱梁仕口部の上部領域を構成するコンクリートとスラブの柱に接続される端部の上部領域を構成するコンクリートとを一体に打設することにより柱梁仕口部を構築する方法を説明するための図（その２）である。
【図１５】柱梁仕口部の上部領域を構成するコンクリートとスラブの柱に接続される端部の上部領域を構成するコンクリートとを一体に打設することにより柱梁仕口部を構築する方法を説明するための図（その３）である。
【図１６】従来のＰＣ部材を用いて柱梁仕口部を構築する方法を説明するための図である。
【符号の説明】
【００３５】
２０  上方のＰＣ柱部材
２１  柱主筋
３０  ハーフＰＣ梁部材
３１  プレキャストコンクリート
３２  下端の梁主筋
３３  上端の梁主筋
３４  せん断補強筋
３５  ねじ式継手
４０  下方のＰＣ柱部材
４１  柱主筋
４２  スリーブ式継手
５０、１５０、２５０、３５０、４５０、５５０  コンクリート
６２  ねじ式継手
１３２、２３２  梁主筋
１３４、２３４  せん断補強筋
２３０  フルＰＣ梁部材
３２０、３４０  フルＰＣ柱部材
４３０  ハーフＰＣ梁部材
４６０、４７０  ＰＣ部材
５２０  貫通孔
６００  柱
６０１  梁
６０２  スラブ
６２０  上方のＰＣ柱部材
６３０  ＰＣ梁部材
６４０  下方のＰＣ柱部材
６５０  コンクリート
【図１】
2009144398.tif 000003
【図２】
2009144398.tif 000004
【図３】
2009144398.tif 000005
【図４】
2009144398.tif 000006
【図５】
2009144398.tif 000007
【図６】
2009144398.tif 000008
【図７】
2009144398.tif 000009
【図８】
2009144398.tif 000010
【図９】
2009144398.tif 000011
【図１０】
2009144398.tif 000012
【図１１】
2009144398.tif 000013
【図１２】
2009144398.tif 000014
【図１３】
2009144398.tif 000015
【図１４】
2009144398.tif 000016
【図１５】
2009144398.tif 000017
【図１６】
2009144398.tif 000018